(57)【要約】【課題】着脱が容易な電子装置用の支持装置を提供することを目的とする。【解決手段】電子装置を支持するための支持装置であって、実装機構及び設置台を備え実装機構は、電子装置に固定された固定部材と、固定部材の一方の側に設置された留め部材と、を備え、固定部材には、他方の側の部分に留め孔が設けられ、設置台は、基体と、基体に固定された係止部材と、を備え、係止部材の一方の側の部分には、係止部が設けられ、係止部材の他方の側の部分には、固定部材の留め孔を貫通するための留め鈎が設けられ、固定部材がロック位置にスライド移動する際、留め部材は、係止部材の係止部と係止して、実装機構の留め部材が、設置台の係止部材から脱離するのを防止し、留め部材が、解放位置にスライド移動する際、固定部材は、係止部材に於いて、スライド移動し、係止部材の留め鈎は、固定部材の留め孔から脱離する。【選択図】図７
2013042139.tif 000002
【特許請求の範囲】
【請求項１】
電子装置を支持するための支持装置であって、実装機構及び設置台を備え、前記実装機構は、前記電子装置に固定された固定部材と、前記固定部材の一方の側に設置された留め部材と、を備え、前記固定部材には、他方の側の部分に留め孔が設けられ、前記設置台は、基体と、前記基体に固定された係止部材と、を備え、前記係止部材の一方の側の部分には、係止部が設けられ、前記係止部材の他方の側の部分には、前記固定部材の前記留め孔を貫通するための留め鈎が設けられ、前記固定部材がロック位置にスライド移動する際、前記留め部材は、前記係止部材の前記係止部と係止して、前記実装機構の前記留め部材が、前記設置台の前記係止部材から脱離するのを防止し、前記留め部材が、解放位置にスライド移動する際、前記固定部材は、前記係止部材に於いて、スライド移動し、前記係止部材の前記留め鈎は、前記固定部材の前記留め孔から脱離することを特徴とする支持装置。
【請求項２】
前記実装機構は、前記固定部材と前記留め部材との間に設けられた弾性部材を備え、前記留め部材が、解放位置にスライド移動すると、該弾性部材は弾性変形し、前記弾性部材が弾性復帰すると、前記留め部材は、ロック位置に向かってスライド移動することを特徴とする請求項１に記載の支持装置。
【請求項３】
前記弾性部材は、渦巻きばねであり、その両端には掛け鈎がそれぞれ設けられ、該掛け鈎は、前記固定部材と前記留め部材とにそれぞれ掛けられることを特徴とする請求項２に記載の支持装置。
【請求項４】
前記実装機構は、二つの第一スライド部材を備え、前記固定部材には、前記一方の側の部分に支持板が設けられ、該支持板には、二つのスライドスロットが設けられ、前記留め部材には、前記固定部材のスライドスロットと対応する二つの実装柱が設けられ、二つの前記第一スライド部材は、前記支持板の前記スライドスロットをそれぞれ貫通し、且つ前記留め部材の前記実装柱と係止することを特徴とする請求項１から３の何れか一項に記載の支持装置。
【請求項５】
前記実装機構は、前記固定部材に固定されたカバー部材と、前記留め部材に固定された操作部材と、を備え、前記カバー部材は、前記固定部材の前記支持板に隣接する部分に移動部が設けられ、該移動部には、スライドスロットが設けられ、前記操作部材には、操作部が設けられ、前記操作部は、前記移動部の前記スライドスロットを貫通することを特徴とする請求項４に記載の支持装置。
【請求項６】
前記実装機構は、二つの第二スライド部材を備え、前記カバー部材の前記移動部には、二つの実装柱が設けられ、前記操作部材には、前記移動部の前記実装柱と対応する二つのスライドスロットが設けられ、二つの前記第二スライド部材は、前記操作部材の前記スライドスロットにそれぞれ挿入され、且つ前記移動部の前記実装柱と係止することを特徴とする請求項５に記載の支持装置。
【請求項７】
前記基体は、底板と、前記底板に対して垂直に上方に向かって延伸した後に屈曲して傾斜して延伸している支持部と、前記支持部の端部に設置された接続部材と、を備え、前記設置台の前記係止部材は、前記接続部材に固定されることを特徴とする請求項１から６の何れか一項に記載の支持装置。
【請求項８】
前記接続部材は、接続板と、前記接続板に突設され、且つ前記支持部に接続する接続台と、を備え、前記設置台の前記係止部材は、前記接続部材の前記接続板に固定されることを特徴とする請求項７に記載の支持装置。
【請求項９】
前記設置台は、取り付け板を備え、前記取り付け板は、前記係止部材に固定され、前記取り付け板には、貫通孔が設けられ、前記接続部材の前記接続台は、前記取り付け板の貫孔を貫通することを特徴とする請求項８に記載の支持装置。
【発明の詳細な説明】
【技術分野】
【０００１】
本発明は、電子装置を支持するための支持装置に関するものである。
【背景技術】
【０００２】
電子装置は、設置台を介して机等に設置される。一般的に、該設置台は、複数のネジによって、電子装置のケースに固定される。そのため、前記電子装置を前記設置台から取り外す際は、別の工具を使用して、前記複数のネジを取り外さければならず、着脱に不便であり、効率が悪い。
【発明の概要】
【発明が解決しようとする課題】
【０００３】
以上の問題点に鑑みて、本発明は、着脱が容易な電子装置用の支持装置を提供することを目的とする。
【課題を解決するための手段】
【０００４】
前記目的を達成するために、本発明に係る支持装置は、電子装置を支持するための支持装置であって、実装機構及び設置台を備え、前記実装機構は、前記電子装置に固定された固定部材と、前記固定部材の一方の側に設置された留め部材と、を備え、前記固定部材には、他方の側の部分に留め孔が設けられ、前記設置台は、基体と、前記基体に固定された係止部材と、を備え、前記係止部材の一方の側の部分には、係止部が設けられ、前記係止部材の他方の側の部分には、前記固定部材の前記留め孔を貫通するための留め鈎が設けられ、前記固定部材がロック位置にスライド移動する際、前記留め部材は、前記係止部材の前記係止部と係止して、前記実装機構の前記留め部材が、前記設置台の前記係止部材から脱離するのを防止し、前記留め部材が、解放位置にスライド移動する際、前記固定部材は、前記係止部材に於いて、スライド移動し、前記係止部材の前記留め鈎は、前記固定部材の前記留め孔から脱離する。
【発明の効果】
【０００５】
本発明に係る電子装置の支持装置は、前記設置台の前記係止部材の一方の側の部分には係止部が設けられ、該係止部が、前記留め部材と係止され、また、前記係止部材の他方の側の部分に設けられた前記留め鈎が、電子装置の前記固定部材の前記留め孔に貫通することにより、前記電子装置は、前記設置台に固定される。取り外す際は、前記留め部材をスライド移動させ、前記係止部材の前記係止部を脱離させるだけで、前記電子装置を前記設置台から取り外すことができる。従って、本発明の電子装置の支持装置は、別の工具を使用しなくとも、前記電子装置を前記設置台から着脱することができるので、便利である。
【図面の簡単な説明】
【０００６】
【図１】本発明に係る支持装置の斜視図である。
【図２】図１に示した支持装置の実装機構の分解斜視図である。
【図３】図２に示した支持装置の実装機構の別の視点から見た分解斜視図である。
【図４】図１に示した支持装置の設置台の分解斜視図である。
【図５】図１に示した電子装置と実装機構との組立図である。
【図６】図４に示した設置台の組立図である。
【図７】図１に示した支持装置の別の視点から見た斜視図である
【図８】図７に示した支持装置のＶＩＩＩ部分の拡大図である。
【図９】図７に示した支持装置のＶＩＩＩ部分の別の使用状態の拡大図である。
【発明を実施するための形態】
【０００７】
以下、図面に基づいて、本発明に係る支持装置の実施形態について詳細に説明する。
【０００８】
図１を参照すると、本実施形態に係る支持装置は、電子装置１０を支持するための支持装置であり、実装機構２０及び設置台３０を備える。前記電子装置１０には、収容凹部１２が設けられており、該収容凹部１２の側壁には、複数のネジ孔（図示せず）が設けられている。本実施形態において、電子装置１０はコンピュータのディスプレイ又はディスプレイ一体型のコンピュータである。
【０００９】
図２及び図３に示したように、前記実装機構２０は、固定部材２１と、カバー部材２３と、留め部材２５と、操作部材２７と、弾性部材２９と、二つの第一スライド部材２２と、二つの第二スライド部材２４と、を備える。
【００１０】
前記固定部材２１は、固定板２１２と、翼板２１４と、凸縁２１６と、支持板２１８と、を備える。前記翼板２１４は、前記固定板２１２の相対する両側から該固定板２１２に対して垂直に延伸しており、断面視Ｌ形状を呈す。また、前記凸縁２１６は、前記固定板２１２の上辺から上方に向けて若干延伸した後に屈曲して、前記翼板２１４と反対の方向に向かって延伸して形成されている。前記支持板２１８は、前記固定板２１２の下辺から、該固定板２１２に対して垂直（つまり、前記翼板２１４が延伸する方向）に延伸して形成されている。前記固定板２１２は、その上側の両隅及び上縁部分の中間に通孔２１２１がそれぞれ設けられており、各々の前記通孔２１２１には、該通孔２１２１の孔縁から延伸して形成された定位部２１２３が設けられている。また、前記固定板２１２の一方の面の上部及び下部には、外方にやや突出し、且つ互いに間隔を開けて配設された複数の突起２１２５が設けられ、その中央部には、固定孔２１２６がそれぞれ設けられている。各々の前記翼板２１４の外側面には、複数の定位部２１４３が突設されている。また、前記凸縁２１６と前記固定板２１２との接続部分には、二つの留め孔２１６１が設けられている。前記支持板２１８には、下方に向かって突設された二つの定位部２１８３と、前記固定板２１２に連接されている前記支持板２１８の一方の側辺の反対の側辺の一端に設置された一つの前記掛けフック部２１８５と、該固定板２１２に対して平行に延伸したスライドスロット２１８７が設けられている。
【００１１】
前記カバー部材２３は、第一カバー板２３１と、第二カバー板２３３と、移動部２３５と、を備える。前記第二カバー板２３３は、前記第一カバー板２３１の一方の側に平行に設置され、前記移動部２３５は、該第一カバー板２３１と前記第二カバー板２３３とを繋いでいる。また、前記第一カバー板２３１は、複数の定位孔２３１２と、鈎２３１４と、逃げ孔２３１５と、を備えている。前記鈎２３１４は、前記第一カバー板２３１の周縁から、前記固定板２１２側に向かって延伸して形成され、前記逃げ孔２３１５は、前記移動部２３５と隣接して形成される。前記第二カバー板２３３には、前記電子装置１０のコネクタ等の各部分に対応する複数の孔２３３１が設けられている。また、前記移動部２３５には、スライドスロット２３５２が設けられており、その近接する部分には、二つの実装柱２３５４が立設され、該二つの実装柱２３５４には、螺旋孔（図示せず）がそれぞれ設けられている。
【００１２】
前記留め部材２５は、矩形の平板状を呈し、その一方の側部には、該留め部材２５に対して垂直に延伸した二つの留め片２５２が互いに離間して設けられており、前記留め片２５２側と相対する他方の側部の片端には、フック部２５３が設けられている。さらに、前記留め部材２５の上面には、前記二つの留め片２５２の各々に対応する位置に配設された二つの実装柱２５１２が互いに隣り合うように設けられており、各々の前記実装柱２５１２には、螺旋孔（図示せず）が設けられている。また、前記留め部材２５の底面には、固定部２５１６が設置されており、該固定部２５１６は、平面視において二つの前記実装柱２５１２の間に位置する。
【００１３】
前記操作部材２７は、矩形の平板状である本体２７１と、操作部２７２と、二つの挟持部２７３と、を備える。前記操作部２７２は、前記本体２７１の底面に突設され、二つの前記挟持部２７３は、前記本体２７１の上面から垂直に立設され、且つ互いに対向して設置されている。また、前記本体２７１には、互いに平行する二つのスライドスロット２７１１が設けられている。
【００１４】
前記弾性部材２９は、その両端に、掛け鈎２９２がそれぞれ設けられている。本実施形態において、前記弾性部材２９は渦巻きばねである。
【００１５】
図４に示したように、前記設置台３０は、基体３２と、係止部材３４と、取り付け板３６と、を備える。前記基体３２は、底板３２１と、支持部３２３と、接続部材３２５と、を備える。前記支持部３２３は、前記底板３２１から上方に、且つ、該底板３２１に対して垂直に延伸した後に斜め上方に向かって屈曲して、やや傾斜して延伸している。前記接続部材３２５は、前記支持部３２３の端部に回転可能に設置され、且つ接続板３２５１及び接続台３２５４を備える。前記接続台３２５４は、前記接続板３２５１の中央部から垂直に延伸して形成され、且つ前記支持部３２３側の部分は、円弧状の曲面を呈し、前記支持部３２３と回転可能に接続されている。また、前記接続板３２５１には、複数の固定孔３２５３が設けられている。
【００１６】
前記係止部材３４は、平板状の本体３４１と、前記本体３４１の上側の縁部に設けられた二つの留め鈎３４２と、前記本体３４１の下側の縁部に設置された二つの係止部３４４と、を備える。二つの前記留め鈎３４２は、前方（電子装置１０側）に向かって折れ曲がってやや延伸した後に上向きに屈曲し、上方へそれぞれ延伸している。二つの前記係止部３４４は、前方に向かって折れ曲がってやや延伸した後に下向きに屈曲し、下方へそれぞれ延伸している。また、前記本体３４１は、複数の第一固定孔３４１２と、複数の第二固定孔３４１４と、を備える。
【００１７】
前記取り付け板３６には、貫通孔３６１が設けられ、且つ取り付け板３６の前方側の表面には、複数の実装柱（図示せず）が突設されている。
【００１８】
図２、図３、図５を参照すると、前記実装機構２０を組み立てる際、先ず、前記操作部材２７を、前記カバー部材２３の前記移動部２３５の上面に設置する。この際、前記操作部材２７の前記操作部２７２は、前記移動部２３５の前記スライドスロット２３５２に挿入され、前記操作部材２７の二つの前記スライドスロット２７１１には、前記二つの実装柱２３５４がそれぞれ挿入される。次いで、二つの前記第二スライド部材２４を、前記操作部材２７の前記スライドスロット２７１１にそれぞれ貫通させ、且つ前記移動部２３５の前記実装柱２３５４にそれぞれ挿入して係止させる。これにより、前記操作部材２７は前記カバー部材２３に設置される。次いで、前記留め部材２５の前記固定部２５１６を、前記操作部材２７の二つの前記挟持部２７３の間に入れて、前記留め部材２５を前記操作部材２７に固定させる。次いで、前記カバー部材２３の前記鈎２３１４を、前記固定部材２１の前記定位部２１２３、２１４３、２１８３にそれぞれ係止して、該カバー部材２３を前記固定部材２１に固定させると同時に、前記カバー部材２３の前記複数の定位孔２３１２に、前記固定部材２１の前記複数の凸起２１２５をそれぞれ貫通させ、前記留め部材２５の前記実装柱２５１２を前記固定部材２１の前記支持板２１８の前記スライドスロット２１８７に収容させる。次いで、二つの前記第一スライド部材２２を、前記固定部材２１の前記スライドスロット２１８７にそれぞれ貫通させた後、二つの前記留め部材２５の前記実装柱２５１２にそれぞれ係止させる。これにより、前記留め部材２５は、前記固定部材２１に対してスライド可能に連結される。次いで、前記弾性部材２９の二つの前記掛け鈎２９２を、前記固定部材２１の前記フック部２１８５と前記留め部材２５の前記フック部２５３とにそれぞれ掛ける。
【００１９】
前記実装機構２０を、前記電子装置１０に実装する際、複数のネジ（図示せず）を、前記固定部材２１の前記固定孔２１２６から前記電子装置１０の前記収容凹部１２内の螺孔（図示せず）まで貫通させて螺合させる。これにより、前記実装機構２０は、前記収容凹部１２に収容されて、前記電子装置に固定される。
【００２０】
図４及び図６を参照すると、前記設置台３０を組み立てる際、前記接続部材３２５の前記接続板３２５１を、前記取り付け板３６の前記貫通孔３６１に貫通させて、前記接続部材３２５の前記接続台３２５４を、前記貫通孔３６１に嵌合させる。この際、前記係止部材３４は、前記接続部材３２５の前記接続板３２５１に隣接するが、前記係止部材３４の前記本体３４１の前記第一固定孔３４１２が前記接続板３２５１の前記固定孔３２５３に対応し、且つ前記係止部材３４の前記本体３４１の前記第二固定孔３４１４が前記取り付け板３６の実装柱と対応するように位置合わせした後、複数のネジを利用して、これらを互いに螺合させる。以上により、前記係止部材３４は、前記接続板３２５１と前記取り付け板３６とに固定される。
【００２１】
図７〜図９を参照すると、前記電子装置１０を前記設置台３０に設置する際、先ず、前記電子装置１０を、前記設置台３０の前記係止部材３４に近づけて、前記係止部材３４の前記二つの留め鈎３４２を、前記固定部材２１の前記フランジ２１６の前記留め孔２１６１にそれぞれ貫通させる。次いで、前記操作部材２７の前記操作部２７２を操作して、前記操作部材２７と前記留め部材２５を、前記固定部材２１の前記フック部２１８５の方向に向かってスライド移動させる。この際、前記弾性部材２９は弾性変形する。次いで、前記設置台３０の前記係止部材３４の底部を、前記電子装置１０に近づけ、前記係止部材３４の前記本体３４１を、前記カバー部材２３の前記第一カバー板２３１に近づけた後、前記係止部材３４の前記係止部３４４を、前記第一カバー板２３１の前記逃げ孔２３１５に入れ込む。次に、前記操作部材２７を解放して、前記弾性部材２９を弾性復帰させると、前記操作部材２７及び前記留め部材２５が駆動して、前記固定部材２１の前記フック部２１８５をロック位置（図８を参照）までスライド移動させる。この際、前記留め部材２５の前記留め片２５２は、前記係止部材３４の前記係止部３４４の外側と係止される。これにより、前記実装機構２０の前記留め部材２５は、前記設置台３０の前記係止部材３４から脱離するのを防止し、前記電子装置１０は、前記設置台３０に強固に固定される。
【００２２】
前記電子装置１０を前記設置台３０から取り外す際は、前記操作部材２７の前記操作部２７２を操作して、前記操作部材２７と前記留め部材２５とを、前記固定部材２１の前記フック部２１８５と反対の方向（解放位置）に向けて、スライド移動させる（図９を参照）。この際、前記留めフック部材２５の前記留め片２５２は、前記係止部材３４の前記係止部３４４から脱離する。次いで、前記電子装置１０を動かして、前記実装機構２０の前記留め部材２５を、前記設置台３０の前記係止部材３４から脱離させる。更に、前記電子装置１０を下方へ動かして、前記固定部材２１を、前記係止部材３４の前記留め鈎３４２から脱離させる。これにより、前記電子装置１０を前記設置台３０から取り外すことができる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２４】
１０                            電子装置
１２                            収容凹部
２０                            実装機構
２１                            固定部材
２１２                          固定板
２１２１                        通孔
２１２３、２１４３、２１８３    定位部
２１２５                        凸起
２１２６、３２５３              固定孔
２１４                          翼板
２１６                          凸縁
２１６１                        留め孔
２１８                          支持板
２１８７、２３５２、２７１１    スライドスロット
２１８５、２５３                フック部
２２                            第一スライド部材
２３                            カバー部材
２３１                          第一カバー板
２３１２                        定位孔
２３１４                        鈎
２３１５                        逃げ孔
２３３                          第二カバー板
２３３１                        孔
２３５                          移動部
２３５４、２５１２              実装柱
２４                            第二スライド部材
２５                            留め部材
２５２                          留め片
２５１６                        固定部
２７                            操作部材
２７１、３４１                  本体
２７２                          操作部
２７３                          挟持部
２９                            弾性部材
２９２                          掛け鈎
３０                            設置台
３２                            基体
３２１                          底板
３２３                          支持部
３２５                          接続部材
３２５１                        接続板
３２５４                        接続台
３４                            係止部材
３４１２                        第一固定孔
３４１４                        第二固定孔
３４２                          留め鈎
３４４                          係止部
３６                            取り付板
３６１                          貫通孔
【図１】
2013042139.tif 000003
【図２】
2013042139.tif 000004
【図３】
2013042139.tif 000005
【図４】
2013042139.tif 000006
【図５】
2013042139.tif 000007
【図６】
2013042139.tif 000008
【図７】
2013042139.tif 000009
【図８】
2013042139.tif 000010
【図９】
2013042139.tif 000011